(57)【特許請求の範囲】
【請求項１】
複数のフェルトペンの複数の本体部を並列に収納する本体部ケースと、
前記複数のフェルトペンの複数のキャップを並列に収納するキャップケースと、を備え、
前記本体部ケースは、前記フェルトペンのキャップによりキャップされる頭部が露出するように、前記複数のフェルトペンの本体部を収納し、
前記キャップケースは、前記複数のフェルトペンの前記頭部をキャップ可能に、前記複数のキャップを保持する、複線引きペンホルダー。
【請求項２】
前記本体部ケースは、前記複数の本体部を着脱可能に収納する、請求項１に記載の複線引きペンホルダー。
【請求項３】
前記本体部ケースは、弾性を有する素材からなる本体部ケース本体を有し、
この本体部ケース本体は、前記複数の本体部を収納する複数の本体用孔を有し、
前記複数の本体用孔は前記複数の本体部よりも小径であり、それによって、前記本体部ケース本体は、前記素材の弾性による摩擦力により前記複数の本体部を保持する、請求項２に記載の複線引きペンホルダー。
【請求項４】
前記本体部ケース本体は、前記複数の本体部の軸方向に複数段に分割されており、かつ当該複数段は互いに接着されており、
前記複数段の間で、前記複数の本体用孔の径が、前記軸方向に沿って、少なくとも２段に異なっている、請求項３に記載の複線引きペンホルダー。
【請求項５】
前記本体部ケースは、前記本体部ケース本体の前記キャップケース側の主面に接着され、前記本体部ケース本体よりも硬質の板材を、さらに有しており、
この板材は、前記複数の本体部の頭部が挿通可能な複数の孔であって、前記複数の本体部に形成された前記複数のキャップの側の外方出っ張り部に、縁部が当接することにより、前記複数の本体部の軸方向の位置を定める複数の本体制止用孔を有する、請求項３又は４に記載の複線引きペンホルダー。
【請求項６】
前記キャップケースは、前記複数のキャップを着脱可能に収納する、請求項１から５のいずれかに記載の複線引きペンホルダー。
【請求項７】
前記キャップケースは、弾性を有する素材からなるキャップケース本体を有し、
このキャップケース本体は、前記複数のキャップを収納する複数のキャップ用孔を有し、
前記複数のキャップ用孔は前記複数のキャップよりも小径であり、それによって、前記キャップケース本体は、前記素材の弾性による摩擦力により前記複数のキャップを保持する、請求項６に記載の複線引きペンホルダー。
【請求項８】
前記キャップケースは、前記キャップケース本体の前記本体部ケース側の主面に接着され、前記キャップケース本体よりも硬質の板材を、さらに有しており、
このキャップケースの板材は、前記複数の本体部の頭部が挿通可能な複数の孔であって、前記複数の本体部に形成された前記複数のキャップの前記複数の本体部側の端部に、縁部が当接することにより、前記複数のキャップの前記軸方向の位置を定める複数のキャップ制止用孔を有する、請求項７に記載の複線引きペンホルダー。
【発明の詳細な説明】
【技術分野】
【０００１】
本発明は、ホワイトボードなどにフェルトペンで２本以上の複線が一度に書けるようにする複線引きペンホルダーに関する。
【背景技術】
【０００２】
近年は、黒板の代わりにホワイトボードを使用している学校が増加している。ホワイトボードに音楽の五線や英語の四線等が必要となった場合、教師は複数の線を書くために、定規を使い複数本の線を書くという面倒で無駄な時間を費やし、その間に授業が中断することになっている。また、このような作業は、教師の負担や生徒のざわつきの原因にもなっている。
【０００３】
なお、黒板にはチョークで音楽の五線や英語の四線等の複線を一度に書けるようにする器具がある（特許文献１参照）。
【先行技術文献】
【特許文献】
【０００４】
【特許文献１】特開2018-001517公報
【発明の概要】
【発明が解決しようとする課題】
【０００５】
本発明はこのような問題を解決しようとするものであり、ホワイトボードなどにフェルトペンで２本以上の複線が一度に書けるようにすることを目的とする。
【課題を解決するための手段】
【０００６】
上記課題を解決するため、本発明は、複線引きペンホルダーであって、複数のフェルトペンの複数の本体部を並列に収納する本体部ケースと、前記複数のフェルトペンの複数のキャップを並列に収納するキャップケースと、を備えている。そして、前記本体部ケースは、前記フェルトペンのキャップによりキャップされる頭部が露出するように、前記複数のフェルトペンの本体部を収納する。さらに、前記キャップケースは、前記複数のフェルトペンの前記頭部をキャップ可能に、前記複数のキャップを保持する。
【発明の効果】
【０００７】
本体部ケースからキャップケースを外すことにより、複数のフェルトペンのキャップを一度に外すことができ、本体部ケースを手に持って複数のフェルトペンのペン先を白板等に押し当てつつ動かすことにより、複数の線を白板等に一度に書くことができる。その後に、キャップケースを本体部ケースに装着することにより、複数のフェルトペンのキャップを一度にキャップする（蓋をする）ことができる。手がフェルトペンのペン先に触れることなく、キャップケースの着脱が可能であるので、手をインクで汚す必要も無い。
【図面の簡単な説明】
【０００８】
【図１】本発明の実施形態における複線引きペンホルダー正面図。
【図２】同実施形態における複線引きペンホルダーの断面図。
【図３】同実施形態における複線引きペンホルダーの本体部ケース斜視図。
【図４】同実施形態における複線引きペンホルダーのキャップケースの斜視図。
【図５】同実施形態における複線引きペンホルダーのペン挿入時本体部の斜視図。
【図６】同実施形態における複線引きペンホルダーの側面図。
【図７】同実施形態における複線引きペンホルダーのペン挿入時本体部ケース断面図。
【図８】同実施形態における複数引きペンホルダーのキャップケースの断面図。
【図９】同実施形態における複数引きペンホルダーのペン収納時全体の断面図。
【発明を実施するための形態】
【０００９】
図１〜図９は、本発明の一実施の形態による複線引きペンホルダーの構成を例示する。この複数線引きペンホルダーは、最大４本の線を同時に書くことを可能にする。
【００１０】
図１に例示するように、ペンケース１とペンケース１Aは、ペンPの本体部を収納するケースを構成し、最大４本のペンPの本体部を収納できる。キャップケース２はペンPのキャップ３を収納するケースであり、最大４複数のキャップが収納出来る。図１では、最大数である４本のペンＰの本体部及びキャップが装着されている。
【００１１】
図２のペンホルダーの断面図に例示するように、ペンケース１とペンケース１Aはいずれも弾性のある素材であり、例えば、ポリエチレン・フォームであり、例えば、２５％圧縮応力が１４０ｋＰａ程度である。ペンケース１AにはペンP本体の最大径の貫通孔８が設けられ、ペンケース１にはペンケース１Aよりも小径な貫通孔が設けられ、弾性のある素材の特性でペンP本体部の動きを抑制する。なお、ペンケース1とペンケース１AはペンP本体部を収納するために、例えば接着剤により接着されている。ペンケース1のキャップケース２への対向面には、板状の止め具５が、例えば接着剤により接着されている。止め具５には、ペンケース１の貫通孔８よりも小径の貫通孔が、貫通孔８と同じ位置に設けられている。止め具５は、ペンケース１，ペンケース１Ａよりも硬質の材料からなり、例えばポリプロピレンのシートである。止め具５は、ペンＰ本体の段差部に当接することにより、ペンＰの位置を定める部材である。
【００１２】
キャップケース２も弾性のある素材に複数設けられたキャップ貫通孔６にキャプ３を収納する。キャップケース２の素材は、例えばペンケース１とペンケース１Aと同じである。キャップケース２のペンケース1への対向面には、板状の止め具４が、例えば接着剤により接着されている。止め具４には、キャップケースの貫通孔６よりも小径の貫通孔が、貫通孔６と同じ位置に設けられている。止め具４の材質は、例えば、止め具５と同じである。止め具４は、キャップ３の端部に当接することにより、キャプ３の位置を定める部材である。
【００１３】
４本のペンPの本体部を装着するには、それら各々をペンケース１Aの貫通孔８からペンケース１の貫通孔７方向へ止め具５で制止されるところまで挿入する。
【００１４】
キャップP４本は、各々キャップケースの貫通孔６から止め具４で制止されるところまで挿入する。
【００１５】
ペンケース本体に収納されたペンPは、キャップケース２に収納された複数のキャップ３を外す時、キャップケース２方向に引っ張られるが、ペンの止め具５により、ペンPが突出することなくペン先９が定位置に揃う。
【００１６】
図３のペンケースの斜視図には、ペンケース１の貫通孔７からペンP本体部が過剰に突出しないように、ペン位置を定める硬質で出来たキャップの止め具５が接着されている構成が、表されている。
【００１７】
図４のキャップケースの斜視図には、キャップケース２のキャップ貫通孔６からキャップ３が突出しないように、キャップ位置を定める硬質で出来たキャップの止め具４が接着されている構成が、表されている。
【００１８】
キャップケース２を用いる事で、複数のキャップ３は小さな力でも一度に外す事が可能になる。
【００１９】
図５に例示するように、ペンP本体部を交換する際には、ペンケース１の貫通孔7から露出しているペン先９を含むペンP本体部の頭部をペン貫通孔８方向に強く押す事でペンPはペンケース１の貫通孔８から押し出され外れる。また、ペンPを挿入するには、ペンケース１Aの貫通孔８からペンケース１の貫通孔７方向へ押し込みペンの止め具５で止まるところまで挿入する事でペン交換が完了する。
【００２０】
図６は、複数引きペンホルダーのペン装着時の側面の外観を示している。
【００２１】
図7のペンケース断面図に例示するように、ペンケース１の貫通孔７から、ペン先９を含むペンP本体部の頭部が露出している。ペンP本体部は、その段差部が、ペンケース1に接着されている板状の止め具５に当接することにより、ペンケース1に対して定位置に収納されることとなる。
【００２２】
図８のキャップケース断面図に例示するように、キャップケース２の貫通孔６に接着されている板状の止め具４に、キャップ３の端部が当接することにより、キャプ３がキャップケース２に対して定位置に収納される事となる。
【００２３】
図9は、複線引きペンホルダーに最大数である4本のペン収納時の断面図である。図９には、ペンケース１に接着された板状の止め具５により4本のペンPの本体部が定位置に収納され、キャップケース２に接着された板状の止め具４により、ペン4本分のキャップ３が定位置に収納されて、キャップ(蓋)されている構成が、表されている。
【００２４】
使用時以外は、複数のペンPの本体部の頭部に複数のキャップ３を装着し保管する。
【００２５】
以下、上記構成の動作を説明する。ペンケース１とペンケース１Ａが接着されたペンホルダー本体に収納した複数のペンＰの複数のキャップ３をキャップケース２で一度に外し、ペンケース１の貫通孔７より露出している４本のペン先９をホワイトボードにあて、そのまま移動することで複数線が書ける事となる
【符号の説明】
【００２６】
Ｐ    ペン
１    ペンケース（本体部ケース本体）
１Ａ  ペンケース（本体部ケース本体）
２    キャップケース（キャップケース本体）
３    キャップ
４    キャップの止め具（板材）
５    ペンの止め具（板材）
６    キャップ貫通孔（キャップ用孔）
７    ペンケース１の貫通孔（本体用孔）
８    ペンケース１Ａの貫通孔（本体用孔）
９    ペン先
【要約】
【課題】
授業の中で音楽5線や英語4線などの複線を書く作業は、貴重な時間を費やす事になり教師の負担でもある。またその作業の間、授業を中断することが生徒のざわつきにも繋がっている。
【解決手段】
本発明は、上記課題を解決するため、複数のフェルトペン本体部を並列に収納する本体部ケースと、前記複数のフェルトペンの複数のキャップを並列に収納するキャップケースと、を備え、前記本体部ケースは、前記フェルトペンのキャップによりキャップされる頭部が露出するようにフェルトペンの本体部を収納し、前記キャップケースは、前記複数のフェルトペンのキャップを複数収納出来ることで、複数のキャップを一度に着脱出来る複線引きペンホルダーであり、ホワイトボード等に複線を書く作業時間を大きく短縮できるものである。
【選択図】図１【図１】
0006667803.tif 000002
【図２】
0006667803.tif 000003
【図３】
0006667803.tif 000004
【図４】
0006667803.tif 000005
【図５】
0006667803.tif 000006
【図６】
0006667803.tif 000007
【図７】
0006667803.tif 000008
【図８】
0006667803.tif 000009
【図９】
0006667803.tif 000010